(57)【要約】【課題】消費される電力量を抑えてジョブの画像形成を実行したい使用者に対して、好適な画像形成及び消費電力量の累計が可能な印刷装置及び印刷システムを提供する。【解決手段】印刷開始時刻に達したと判断される場合（Ｓ３０１：Ｙ）、Ｓ３０２にてプリンタ１のウォーミングアップ処理が実行され、Ｓ３０３にてＨＤＤ１４内の予約ジョブ又は省電力ジョブが印刷される。  その後、Ｓ３０５にて予約ジョブを送信した使用者からウォーミングアップ処理にて消費した電力量を消費させる。さらに、Ｓ３０６にて予約ジョブ及び省電力ジョブの印刷の処理にて消費した電力量をそれぞれの印刷ジョブを送信した使用者から消費させる。【選択図】        図６
2010120205.tif 000002
【特許請求の範囲】
【請求項１】
情報処理装置から受信した印刷ジョブを用紙に印刷する印刷部と、
前記印刷ジョブを省電力ジョブ又は一般ジョブと判断する判断部と、
前記印刷ジョブを送信した使用者毎又は当該使用者にて構成されるグループ毎に、前記印刷ジョブを処理するために消費する電力量を累計する累計部と、
前記印刷部にて前記省電力ジョブと前記一般ジョブとを続けて印刷し、前記累計部にて前記一般ジョブを送信した前記使用者又は前記グループに前記印刷部を準備する準備処理で消費する電力量を累計するように制御する制御部と、
を備えることを特徴とする印刷装置。
【請求項２】
請求項１に記載の印刷装置であって、
前記判断部にて前記省電力ジョブが判断されることで当該省電力ジョブを記憶する記憶部を備えることを特徴とする印刷装置。
【請求項３】
請求項２に記載の印刷装置であって、
前記制御部は、前記判断部にて前記一般ジョブと判断されることで、前記記憶部に記憶されている前記省電力ジョブと当該一般ジョブとを続けて印刷するように制御することを特徴とする印刷装置。
【請求項４】
請求項２又は請求項３に記載の印刷装置であって、
前記記憶部は、印刷が実行される時刻を示す時刻情報と関連させた前記一般ジョブを記憶し、
前記制御部は、前記記憶部に記憶されている前記省電力ジョブ及び前記一般ジョブとを前記時刻情報に応じて続けて印刷するように制御することを特徴とする印刷装置。
【請求項５】
請求項２から請求項４のいずれか一つに記載の印刷装置であって、
前記記憶部は、印刷が実行される時刻を示す時刻情報と関連させた前記省電力ジョブを記憶し、
前記制御部は、前記省電力ジョブが前記時刻情報にて示される時刻までに前記一般ジョブと続けて印刷されない場合、前記省電力ジョブを一般ジョブとして前記印刷部にて印刷するように制御することを特徴とする印刷装置。
【請求項６】
請求項２から請求項５のいずれか一つに記載の印刷装置であって、
前記記憶部に記憶されている前記省電力ジョブ及び前記一般ジョブの少なくとも一方を表示する表示部を備えることを特徴とする印刷装置。
【請求項７】
請求項１から請求項６のいずれか一つに記載の印刷装置であって、
前記制御部は、前記省電力ジョブが印刷されたら、当該省電力ジョブを送信した前記情報処理装置へ印刷が完了した旨を通知するように制御することを特徴とする印刷装置。
【請求項８】
請求項１から請求項７のいずれか一つに記載の印刷装置であって、
前記制御部は、二つの前記一般ジョブが印刷される間に前記省電力ジョブが印刷されることで、後に印刷される前記一般ジョブを印刷するための前記準備処理が省略される場合、前記累計部にて前記省電力ジョブを送信した前記使用者又は前記グループから前記準備処理にて消費する前記電力量を減算するように制御することを特徴とする印刷装置。
【請求項９】
請求項１から請求項８のいずれか一つに記載の印刷装置であって、
前記制御部は、前記一般ジョブと前記省電力ジョブとがそれぞれ印刷される間に待機状態が存在し待機電力量が消費される場合、前記累計部にて当該省電力ジョブを送信した前
記使用者又は前記グループに前記待機電力量を累計するように制御することを特徴とする印刷装置。
【請求項１０】
請求項１から請求項９のいずれか一つに記載の印刷装置であって、
前記累計部にて累計される前記電力量には前記使用者毎又は前記グループ毎に制限値が設定されており、
前記制御部は、累計された前記電力量が前記制限値を超えた場合、前記使用者又は前記グループから送信された前記一般ジョブ及び前記省電力ジョブの前記印刷部による印刷を禁止するように制御することを特徴とする印刷装置。
【請求項１１】
請求項１から請求項１０のいずれか一つに記載の印刷装置であって、
前記累計部にて累計される前記電力量には前記使用者毎又は前記グループ毎に切替値が設定されており、
前記制御部は、累計された前記電力量が前記切替値を超えた場合、前記使用者又は前記グループから送信された前記一般ジョブを前記省電力ジョブとして処理するように制御することを特徴とする印刷装置。
【請求項１２】
請求項１から請求項１１のいずれか一つに記載の印刷装置であって、
前記累計部にて累計された前記電力量と、当該累計が全て前記省電力ジョブであった場合の電力量又は当該累計が全て前記一般ジョブであった場合の電力量の少なくとも一方と対比して表示する表示部を備えることを特徴とする印刷装置。
【請求項１３】
印刷ジョブを送信する情報処理装置と、
前記情報処理装置から受信した前記印刷ジョブを用紙に印刷する印刷装置と、
前記印刷ジョブを省電力ジョブ又は一般ジョブと判断する判断部と、
前記印刷ジョブを送信した使用者毎又は当該使用者にて構成されるグループ毎に、前記印刷ジョブを処理するために消費する電力量を累計する累計部と、
前記印刷装置にて前記省電力ジョブと前記一般ジョブとを続けて印刷し、前記累計部にて前記一般ジョブを送信した前記使用者又は前記グループに前記印刷装置を準備する準備処理にて消費する電力量を累計するように制御する制御部と、
を備えることを特徴とする印刷システム。
【請求項１４】
請求項１３に記載の印刷システムであって、
印刷が実行される時刻を示す時刻情報と共に前記省電力ジョブ及び前記一般ジョブを記憶する記憶部と、
前記情報処理装置から前記印刷ジョブを送信する際、前記記憶部に記憶されている前記省電力ジョブ及び前記一般ジョブがいつ印刷されるかを示すスケジュールを表示するスケジュール表示部と、
を備えることを特徴とする印刷システム。
【請求項１５】
請求項１４に記載の印刷システムであって、
前記スケジュール表示部は、前記省電力ジョブを印刷可能な時刻を際立つように表示することを特徴とする印刷システム。
【請求項１６】
請求項１４又は請求項１５に記載の印刷システムであって、
前記スケジュール表示部は、前記情報処理装置から前記印刷ジョブを送信する際、当該印刷ジョブによる消費電力量を表示することを特徴とする印刷システム。
【発明の詳細な説明】
【技術分野】
【０００１】
本発明は、消費電力量を管理可能な印刷装置及び印刷システムに関する。
【背景技術】
【０００２】
従来より、複写機等の画像形成装置にて使用される電力量を管理する技術が提案されている。
【０００３】
例えば下記特許文献には、使用した部門毎に複写機にて消費した電力量を累計し、累計した消費電力量が上限電力量以上の部門については、新たに受け付けるジョブの実行を禁止する技術が開示されている。
【０００４】
また、下記特許文献には待機電力量を共通部門の消費電力量として累計する技術や、待機電力量を各部門に均等に配分して累計する技術も開示されている。
【０００５】
ところで、ジョブを受け付けた画像形成装置（印刷装置）が画像形成（印刷）を行う前に、ウォーミングアップと呼ばれる画像形成を実行するための準備処理を実行する技術は周知の技術である。
【特許文献１】特開２００２−２９２９７７号公報
【発明の開示】
【発明が解決しようとする課題】
【０００６】
ここで、準備処理の消費電力量を管理するために上記特許文献の技術を用いると、以下のように処理される。
【０００７】
まず、準備処理を各部門にて実行されるジョブの実行と捉えた場合、実行されたジョブと同様に準備処理にて消費された電力量も各部門毎に累計されることとなる。
【０００８】
また、準備処理の消費電力量を待機電力量と捉えた場合、共通部門の消費電力量として累計するか、各部門に均等に配分して累計することとなる。
【０００９】
しかしながらジョブを続けて画像形成する場合、後のジョブは既に画像形成が実行可能なため準備処理が実行されずに画像形成が実行されることがある。即ち、ジョブによっては準備処理が成されないまま画像形成が実行されることがある。
【００１０】
よって、消費される電力量を抑えてジョブの画像形成を実行したい使用者は、意図的に上述した方法でジョブを印刷すべきである。
【００１１】
本発明はそのような使用者に対して、好適な画像形成及び消費電力量の累計が可能な印刷装置及び印刷システムを提供することを目的とする。
【課題を解決するための手段】
【００１２】
この目的を達成するために、請求項１に記載の印刷装置は、情報処理装置から受信した印刷ジョブを用紙に印刷する印刷部と、前記印刷ジョブを省電力ジョブ又は一般ジョブと判断する判断部と、前記印刷ジョブを送信した使用者毎又は当該使用者にて構成されるグループ毎に、前記印刷ジョブを処理するために消費する電力量を累計する累計部と、前記印刷部にて前記省電力ジョブと前記一般ジョブとを続けて印刷し、前記累計部にて前記一般ジョブを送信した前記使用者又は前記グループに前記印刷部を準備する準備処理で消費
する電力量を累計するように制御する制御部と、を備えることを特徴とする。
【００１３】
また、請求項２に記載の印刷装置は、請求項１に記載の印刷装置であって、前記判断部にて前記省電力ジョブが判断されることで当該省電力ジョブを記憶する記憶部を備えることを特徴とする。
【００１４】
また、請求項３に記載の印刷装置は、請求項２に記載の印刷装置であって、前記制御部は、前記判断部にて前記一般ジョブと判断されることで、前記記憶部に記憶されている前記省電力ジョブと当該一般ジョブとを続けて印刷するように制御することを特徴とする。
【００１５】
また、請求項４に記載の印刷装置は、請求項２又は請求項３に記載の印刷装置であって、前記記憶部は、印刷が実行される時刻を示す時刻情報と関連させた前記一般ジョブを記憶し、前記制御部は、前記記憶部に記憶されている前記省電力ジョブ及び前記一般ジョブとを前記時刻情報に応じて続けて印刷するように制御することを特徴とする。
【００１６】
また、請求項５に記載の印刷装置は、請求項２から請求項４のいずれか一つに記載の印刷装置であって、前記記憶部は、印刷が実行される時刻を示す時刻情報と関連させた前記省電力ジョブを記憶し、前記制御部は、前記省電力ジョブが前記時刻情報にて示される時刻までに前記一般ジョブと続けて印刷されない場合、前記省電力ジョブを一般ジョブとして前記印刷部にて印刷するように制御することを特徴とする。
【００１７】
また、請求項６に記載の印刷装置は、請求項２から請求項５のいずれか一つに記載の印刷装置であって、前記記憶部に記憶されている前記省電力ジョブ及び前記一般ジョブの少なくとも一方を表示する表示部を備えることを特徴とする。
【００１８】
また、請求項７に記載の印刷装置は、請求項１から請求項６のいずれか一つに記載の印刷装置であって、前記制御部は、前記省電力ジョブが印刷されたら、当該省電力ジョブを送信した前記情報処理装置へ印刷が完了した旨を通知するように制御することを特徴とする。
【００１９】
また、請求項８に記載の印刷装置は、請求項１から請求項７のいずれか一つに記載の印刷装置であって、前記制御部は、二つの前記一般ジョブが印刷される間に前記省電力ジョブが印刷されることで、後に印刷される前記一般ジョブを印刷するための前記準備処理が省略される場合、前記累計部にて前記省電力ジョブを送信した前記使用者又は前記グループから前記準備処理にて消費する前記電力量を減算するように制御することを特徴とする。
【００２０】
また、請求項９に記載の印刷装置は、請求項１から請求項８のいずれか一つに記載の印刷装置であって、前記制御部は、前記一般ジョブと前記省電力ジョブとがそれぞれ印刷される間に待機状態が存在し待機電力量が消費される場合、前記累計部にて当該省電力ジョブを送信した前記使用者又は前記グループに前記待機電力量を累計するように制御することを特徴とする。
【００２１】
また、請求項１０に記載の印刷装置は、請求項１から請求項９のいずれか一つに記載の印刷装置であって、前記累計部にて累計される前記電力量には前記使用者毎又は前記グループ毎に制限値が設定されており、前記制御部は、累計された前記電力量が前記制限値を超えた場合、前記使用者又は前記グループから送信された前記一般ジョブ及び前記省電力ジョブの前記印刷部による印刷を禁止するように制御することを特徴とする。
【００２２】
また、請求項１１に記載の印刷装置は、請求項１から請求項１０のいずれか一つに記載
の印刷装置であって、前記累計部にて累計される前記電力量には前記使用者毎又は前記グループ毎に切替値が設定されており、前記制御部は、累計された前記電力量が前記切替値を超えた場合、前記使用者又は前記グループから送信された前記一般ジョブを前記省電力ジョブとして処理するように制御することを特徴とする。
【００２３】
また、請求項１２に記載の印刷装置は、請求項１から請求項１１のいずれか一つに記載の印刷装置であって、前記累計部にて累計された前記電力量と、当該累計が全て前記省電力ジョブであった場合の電力量又は当該累計が全て前記一般ジョブであった場合の電力量の少なくとも一方と対比して表示する表示部を備えることを特徴とする。
【００２４】
また、請求項１３に記載の印刷システムは、印刷ジョブを送信する情報処理装置と、前記情報処理装置から受信した前記印刷ジョブを用紙に印刷する印刷装置と、前記印刷ジョブを省電力ジョブ又は一般ジョブと判断する判断部と、前記印刷ジョブを送信した使用者毎又は当該使用者にて構成されるグループ毎に、前記印刷ジョブを処理するために消費する電力量を累計する累計部と、前記印刷装置にて前記省電力ジョブと前記一般ジョブとを続けて印刷し、前記累計部にて前記一般ジョブを送信した前記使用者又は前記グループに前記印刷装置を準備する準備処理にて消費する電力量を累計するように制御する制御部と、を備えることを特徴とする。
【００２５】
また、請求項１４に記載の印刷システムは、請求項１３に記載の印刷システムであって、印刷が実行される時刻を示す時刻情報と共に前記省電力ジョブ及び前記一般ジョブを記憶する記憶部と、前記情報処理装置から前記印刷ジョブを送信する際、前記記憶部に記憶されている前記省電力ジョブ及び前記一般ジョブがいつ印刷されるかを示すスケジュールを表示するスケジュール表示部と、を備えることを特徴とする。
【００２６】
また、請求項１５に記載の印刷システムは、請求項１４に記載の印刷システムであって、前記スケジュール表示部は、前記省電力ジョブを印刷可能な時刻を際立つように表示することを特徴とする。
【００２７】
また、請求項１６に記載の印刷システムは、請求項１４又は請求項１５に記載の印刷システムであって、前記スケジュール表示部は、前記情報処理装置から前記印刷ジョブを送信する際、当該印刷ジョブによる消費電力量を表示することを特徴とする。
【発明の効果】
【００２８】
＜請求項１及び請求項１３の発明＞
消費される電力量を抑えてジョブの画像形成を実行したい使用者は、意図的に印刷部の準備処理を回避する方法でジョブを印刷すべきである。
【００２９】
本発明はそのような使用者に対して、好適な画像形成及び消費電力量の累計が可能な印刷装置及び印刷システムを提供可能である。
【００３０】
＜請求項２の発明＞
記憶部により省電力ジョブを記憶させておくことで、省電力ジョブにて印刷を実行したい使用者が前もってジョブを印刷装置に送信可能である。
【００３１】
＜請求項３の発明＞
記憶部に記憶された省電力ジョブは、印刷装置が一般ジョブを受信したことに応じて印刷可能である。
【００３２】
＜請求項４の発明＞
印刷される時刻を示した時刻情報と関連した一般ジョブを記憶部に記憶するため、一般ジョブの印刷される時刻に応じて記憶部に記憶されている省電力ジョブも印刷可能である。
【００３３】
＜請求項５の発明＞
省電力ジョブには時刻情報によっていつまでに印刷されるか決められているため、いつまでも印刷が実行されない不具合を防止できる。
【００３４】
＜請求項６の発明＞
使用者は印刷装置の記憶部に記憶されている印刷ジョブを確認することが可能である。
【００３５】
＜請求項７の発明＞
省電力ジョブが印刷されたことがその省電力ジョブと送信した情報処理装置に通知されるため、情報処理装置を使用する使用者は印刷が実行されたことを知ることが可能である。
【００３６】
＜請求項８の発明＞
後に印刷される一般ジョブの準備処理は省電力ジョブにより省略される。
【００３７】
当該一般ジョブを送信した使用者は準備処理分の電力量が消費されることを予め承知している。よって、その準備処理分の消費電力量は省電力ジョブを送信した使用者又はグループから減算されることで、積極的に消費電力量を減らそうとした使用者やグループにメリットを与えることができる。
【００３８】
＜請求項９の発明＞
待機状態で消費される電力量は省電力ジョブを送信した使用者やグループから累計することで、消費電力量の公正な累計が可能である。
【００３９】
＜請求項１０の発明＞
使用者毎又はグループ毎で印刷装置の使用の制限をかけることが可能である。
【００４０】
＜請求項１１の発明＞
切替値を超えた使用者又はグループから送信される一般ジョブは強制的に省電力ジョブとして処理されるため、強制的に消費電力量を抑えて印刷処理が可能である。
【００４１】
＜請求項１２の発明＞
使用者はどの程度消費される電力量を減らして印刷装置を使用できたかを認識することができる。
【００４２】
＜請求項１４の発明＞
使用者は情報処理装置から省電力ジョブ又は一般ジョブを送信する際、記憶部に記憶されているジョブの印刷スケジュールが把握できるため、当該ジョブをどの時刻に印刷するか容易に決定可能である。
【００４３】
＜請求項１５の発明＞
省電力ジョブを実行可能な時刻を際出つように表示することで、使用者は省電力ジョブの印刷可能な時刻を容易に把握可能である。
【００４４】
＜請求項１６の発明＞
使用者は省電力ジョブ又は一般ジョブを送信する際に、予め消費電力量を把握可能であ
る。
【発明を実施するための最良の形態】
【００４５】
以下、本発明の印刷装置及び印刷システムにおける実施形態について、詳細に説明をする。
【００４６】
＜全体構成（図１及び図２参照）＞
図１は、印刷システムの概念及びプリンタ１とＰＣ２の内部構成をブロック図として示したシステム図である。
【００４７】
図１では、本発明の印刷装置の一例としてのプリンタ１と、本発明の情報処理装置の一例としてのパーソナル・コンピュータ（以下「ＰＣ」という）２とが、ネットワーク３を介して接続されている。尚、ＰＣ２の内部構成は一つのＰＣ２のみしか示していないが、他のＰＣ２の内部構成も同様の構成である。
【００４８】
プリンタ１は、印刷部１５と、ネットワークＩ／Ｆ１６と、表示部１７と、操作部１８とを備え、これら印刷部１５と、ネットワークＩ／Ｆ１６は、ＣＰＵ１１，ＲＯＭ１２，ＲＡＭ１３からなる本発明の累計部及び制御部の一例としての制御回路１０により制御される。また、プリンタ１は、印刷ジョブやその他各種の情報を記憶する本発明の記憶部の一例としてのハードディスク（以下「ＨＤＤ」という）１４を備える。
【００４９】
ＨＤＤ１４は、図２に示すような各使用者ＩＤに対応した電力量情報である残電力量、消費電力量、許可電力量をそれぞれ累計し記憶している。
【００５０】
尚、許可電力量は各使用者ＩＤに割り当てられている消費可能な電力量の合計値である。また、消費電力量及び残電力量はそれぞれの使用者が既に消費した電力量、及び許可電力量から消費電力量を除いた消費可能な残りの電力量を示す。さらに、使用者ＩＤとは使用者を特定する情報であり、各ＰＣ２の後述する使用者情報を指す。
【００５１】
尚、本実施形態では、それぞれの印刷ジョブによって消費される処理電力量はＰＣ２の制御回路２０によって推定され、ＰＣ２から受け取ることによって消費電力量を累計している。
【００５２】
さらに、ＨＤＤ１４は、予約ジョブと省電力ジョブの印刷スケジュール１０１（図４参照）が記憶されている。尚、予約ジョブ及び省電力ジョブは後述にて説明する。印刷スケジュール１０１（図４参照）は、どの時刻に予約ジョブ又は省電力ジョブが印刷されるかを時系列的に示した情報である。
【００５３】
印刷部１５は、ＰＣ２等からの印刷ジョブを用紙に印刷するための機能部であり、ネットワークＩ／Ｆ１６は、プリンタ１とネットワーク３とを接続するための機能部であり、ＰＣ２とデータの入出力をする。また、表示部１７はＬＣＤ等により構成され、各種情報を使用者に対して報知するための機能部である。さらに操作部１８はプッシュボタン等により構成され、プリンタ１を直接操作するための機能部である。尚、印刷部１５による印刷ジョブの印刷を実行するためには、印刷部１５を準備する処理であるウォーミングアップ処理が必要である。
【００５４】
尚、プリンタ１は図示していない電源がオンされている状態において、印刷状態、スリープ状態、待機状態のいずれかの状態となる。
【００５５】
印刷状態とは、プリンタ１が印刷ジョブを印刷部１５により印刷している状態である。
また、スリープ状態及び待機状態は、プリンタ１がＰＣ２等から印刷ジョブを受信するために待機している状態である。この二つの状態では印刷部１５の準備処理が終了しているか否かが異なる。
【００５６】
スリープ状態では、印刷部１５のウォーミングアップ処理が終了していないため、印刷ジョブを受信しても直ちに印刷を実行不可能である。しかしながら、待機状態では、印刷部１５のウォーミングアップ処理が終了しているため、印刷ジョブを受信すると直ちに印刷を実行可能である。
【００５７】
本実施形態におけるプリンタ１は、スリープ状態にて印刷ジョブを受信する場合、ウォーミングアップ処理が終了すると印刷状態に移行する。その後、印刷状態が解除されると一定時間待機状態に移行し、当該一定時間が経過するとスリープ状態に移行する。この様に構成されることで、印刷ジョブを連続して受信する際に無駄なウォーミングアップを回避することが可能であり、さらに長時間待機状態を保つことを回避することで消費電力を抑えることが可能である。
【００５８】
ＰＣ２は、通常使用されるパーソナル・コンピュータであり、ＣＰＵ２１，ＲＯＭ２２，ＲＡＭ２３からなる本発明の判断部の一例としての制御回路２０、ハードディスク（以下「ＨＤＤ」という）２４、操作部２５、本発明のスケジュール表示部の一例としての表示部２６、ネットワークＩ／Ｆ２７を備えている。
【００５９】
ＲＯＭ２２には、主にＰＣ２の基本的なプログラム（ＢＩＯＳ等）が記憶されており、ＨＤＤ２４には、基本的なプログラムの上に構成されているオペレーティングシステム（ＯＳ）等が記憶されている。
【００６０】
尚、操作部２５は、マウス、キーボード等によって構成され、使用者により操作されることで、各種のデータが入力されたり、ドライバプログラム等を含む各種のプログラムが実行される。表示部２６は、ＣＲＴやＬＣＤ等によって構成され、様々なデータや情報を使用者に対して表示する。また、ネットワークＩ／Ｆ２７は、ＰＣ２とネットワーク３とを接続するためのものであり、プリンタ１とデータの入出力をする。
【００６１】
また、ＨＤＤ２４にはＰＣ２からプリンタ１へ印刷ジョブを送信するためのプリンタドライバが記憶されている。このプリンタドライバにより、使用者は容易に印刷ジョブをプリンタ１へ送信することが可能である。
【００６２】
尚、ＰＣ２は図示していない電源がオンされている状態では、各使用者情報に応じてログオンしている。使用者情報とはＰＣ２を誰が使用しているかを判別するための情報であり、具体的には使用者ＩＤである。印刷ジョブをプリンタ１へ送信する際などは、当該使用者ＩＤを負荷して送信することで、誰が印刷ジョブを送信したかが判別できる。
【００６３】
さらにＰＣ２の制御回路２０は、後述する送信処理の際、印刷データのデータ量やモノやカラーの設定から印刷ジョブによって消費される処理電力量を推定可能である。
【００６４】
＜印刷ジョブの説明＞
本実施形態の印刷ジョブには、通常ジョブ、予約ジョブ、省電力ジョブの三種類の印刷ジョブが存在する。尚、本発明の一般ジョブは通常ジョブ及び予約ジョブに相当する。
【００６５】
通常ジョブは、ＰＣ２からプリンタ１へ送信されると直ぐに印刷が実行される印刷ジョブである。プリンタ１の状態が印刷状態であれば当該印刷状態の終了後に印刷が実行され、スリープ状態であればウォーミングアップ後に印刷が実行される。また、待機状態の場
合は直ぐに印刷が実行される。
【００６６】
予約ジョブは、いつ印刷されるかの時刻情報を持った印刷ジョブである。予約ジョブがＰＣ２からプリンタ１へ送信されると、プリンタ１のＨＤＤ１４に一旦記憶され、時刻情報に示された時刻になったら印刷が実行される。
【００６７】
省電力ジョブは、通常ジョブ又は予約ジョブの印刷が実行される前や後に続けて印刷される印刷ジョブである。省電力ジョブがＰＣ２からプリンタ１へ送信されると、当該省電力ジョブはプリンタ１のＨＤＤ１４に一旦記憶され、後述する設定情報に応じて印刷が実行される。尚、省電力ジョブは予約ジョブと同様に時刻情報を備えたジョブや、印刷される期限の時刻である期限情報を備えたジョブ、時刻情報も期限時刻の情報も備えないジョブの三種類が存在する。
【００６８】
尚、省電力ジョブは必ず通常ジョブ又は予約ジョブの前後に印刷されるため、省電力ジョブを印刷する場合、印刷ジョブが連続して印刷されることになる。よって、上記したウォーミングアップ処理が必ず一度は回避される。ウォーミングアップ処理に消費した電力量は通常ジョブ又は予約ジョブを送信した使用者に累計されるように構成されているため、省電力ジョブを送信した使用者はウォーミングアップ処理に消費した電力量を消費しなくても良い。即ち、省電力ジョブは電力量を抑えた印刷が可能である。
【００６９】
＜送信処理（図３参照）＞
図３は、ＰＣ２からプリンタ１への印刷ジョブの送信処理を示したフローチャートである。
【００７０】
図３に示す送信処理は、ＰＣ２において電源がオンされた状況にて短い時間間隔で定期的に実施される処理である。当該処理が開始されると、制御回路２０にて、まずＳ１０１によりＨＤＤ２４のプリンタドライバが起動されたか否かが判断される。この判断処理により印刷ジョブを作成し送信する処理が実行されるか否かが判断される。ここで、起動されていない場合は（Ｓ１０１：Ｎ）、当該送信処理が終了する。
【００７１】
一方、Ｓ１０１にてプリンタドライバが起動されたと判断されると（Ｓ１０１：Ｙ）、Ｓ１０２にて使用者が操作部２５を用いてどのプリンタを選択したかを示す選択情報を取得する。
【００７２】
この判断処理はネットワーク３を介してプリンタ１が複数接続されている場合を想定している。図１では省略しているが、プリンタ１がネットワーク３を介して複数接続されている場合、使用者がどのプリンタ１で印刷を実行するか判断できない。よって、使用者によるプリンタ１の選択後に制御回路２０にてＳ１０２の判断をすることで、使用者がどのプリンタ１で印刷を実行しようとしているか判断可能である。
【００７３】
Ｓ１０２の処理後、Ｓ１０３にて選択されたプリンタ１のＨＤＤ１４内に記憶されているＰＣ２の使用者ＩＤに対応した電力量情報（図２参照）を取得する。そして、Ｓ１０４にて、当該電力量情報の中の残電力量が切替値より少ないか否かが判断される。
【００７４】
ここで、残電力量が切替値より少ない場合（Ｓ１０４：Ｙ）、Ｓ１０５にて作成及び送信される印刷ジョブを強制的に省電力ジョブとして設定する。また、残電力量が切替値以上である場合（Ｓ１０４：Ｎ）、Ｓ１０５の処理が省略される。
【００７５】
残電力量が切替値以下である場合（Ｓ１０４：Ｎ）、及びＳ１０５の処理が終了すると、Ｓ１０６にてＳ１０２により判断された選択プリンタ１のＨＤＤ１４内の印刷スケジュ
ール１０１（図４参照）を取得し、印刷ジョブを作成するための図４に示す設定画面を表示部２６に表示する。その後、使用者は操作部２５を操作し設定画面にて印刷ジョブを作成する。尚、印刷ジョブの作成方法は後述にて説明する。
【００７６】
その後、Ｓ１０７にて当該印刷ジョブの設定情報を取得し、Ｓ１０８にて処理電力量が残電力量を超えているか否かを判断する。尚、処理電力量とは、プリンタ１における印刷ジョブの印刷によって消費される電力量である。また、ここで処理電力量と比較される残電力量は本発明の制限値に相当する。
【００７７】
Ｓ１０８にて処理電力量が残電力量を超えていると判断されると（Ｓ１０８：Ｎ）、Ｓ１０９にて印刷不可の旨を表示部２６に表示させ、再度使用者によってネットワーク３に接続されている他のプリンタ１を選択させた後にＳ１０２の判断をする。
【００７８】
この様に処理することで、消費電力量と残電力量の関係から印刷が不可能な場合、他のプリンタ１にて印刷が可能となる可能性がある。尚、Ｓ１０９の後にＳ１０２の判断をせず、印刷を拒否して当該送信処理を終了する形態であっても良い。
【００７９】
一方、処理電力量が残電力量を超えていないと判断されると（Ｓ１０８：Ｙ）、Ｓ１１０にて印刷ジョブをプリンタ１に送信し、当該送信処理が終了する。
【００８０】
＜印刷ジョブの作成方法（図４参照）＞
印刷ジョブの作成は、図３のＳ１０６の処理が終了した後に、使用者により実行される。図３のＳ１０６の処理が終了すると、印刷ジョブを作成するための図４に示す設定画面が表示部２６に表示され、使用者は操作部２５を操作し、設定画面にて印刷ジョブを作成する。以下、印刷ジョブの作成方法を説明する。
【００８１】
図４は印刷ジョブを作成するための画面であり、印刷スケジュール１０１、カーソル１０２、処理電力量表示領域１０３、設定領域１０４、電力量情報表示領域１０５、ＯＫボタン１０６、キャンセルボタン１０７から構成されている。
【００８２】
印刷スケジュール１０１は、既にプリンタ１のＨＤＤ１４に記憶されている予約ジョブ及び省電力ジョブがどの時刻で印刷されるかを時系列的に表している。印刷時刻帯１０１Ａは予約ジョブがプリンタ１の印刷部１５にて印刷される時刻帯を表している。尚、図４では、予約ジョブＡ及び予約ジョブＢがそれぞれの印刷時刻帯１０１Ａにて印刷されることを示している。また、図４の印刷スケジュール１０１では省電力ジョブの予約状況は省略している。
【００８３】
第一省電力時刻帯１０１Ｂ及び第二省電力時刻帯１０１Ｃは、それぞれ予約ジョブを省電力ジョブとしてプリンタ１のＨＤＤ１４に記憶可能な時刻帯を示している。第一省電力時刻帯１０１Ｂ及び第二省電力時刻帯１０１Ｃは、その他の時刻帯に対して際立って表示されることで、使用者は省電力ジョブの印刷可能な時刻を容易に把握可能である。尚、第一省電力時刻帯１０１Ｂ及び第二省電力時刻帯１０１Ｃの違いは後述にて説明する。
【００８４】
カーソル１０２は使用者が操作部２５のマウス等を操作することで移動させることが可能なアイコンである。使用者は操作部２５によりカーソル１０２を画面上のそれぞれの位置に動かし決定動作等を実行することでカーソル１０２による画面上の操作が可能である。
【００８５】
尚、印刷スケジュール１０１上の第一及び第二省電力時刻帯１０１Ｂ，１０１Ｃで決定動作をすると印刷ジョブが時刻情報を備えた省電力ジョブとして確定する。また、印刷時
刻帯１０１Ａ及び第一及び第二省電力時刻帯１０１Ｂ，１０１Ｃ以外の印刷スケジュール１０１上で決定動作をすると印刷ジョブが時刻情報を備えた予約ジョブとして確定する。
【００８６】
処理電力量表示領域１０３は、印刷ジョブによる印刷によってどの程度の電力量を消費するか示した領域である。尚、印刷スケジュール１０１にカーソル１０２を移動させると、その時刻に印刷ジョブを予約した際の処理電力量を表示する。よって、使用者は印刷ジョブによる処理電力量を確認しつつ印刷ジョブの予約や送信が可能である。尚、当該処理電力量は上述した様に印刷データから推定した値である。
【００８７】
設定領域１０４は、使用者がどういった設定にて印刷ジョブを送信するかを選択可能な領域である。「省電力ジョブ設定」のボックスをチェックすることでフラグが立ち、印刷ジョブは省電力ジョブとして設定される。この状態で期限設定の時刻を設定すると、当該省電力ジョブの印刷期限の時刻である期限情報が設定される。即ち、省電力ジョブをいつまでに印刷するかを期限設定にて設定可能である。
【００８８】
尚、「省電力ジョブ設定」のフラグが立った状態では印刷ジョブは強制的に省電力ジョブに設定されてしまうので、印刷スケジュール１０１上で時刻情報を設定する場合は、第一及び第二省電力時刻帯１０１Ｂ，１０１Ｃの時刻帯にのみ時刻情報を設定可能である。
【００８９】
電力量情報表示領域１０５は、図３のＳ１０３にて取得した電力量情報を表示する領域である。これにより使用者は現在の残電力量、消費電力量、許可電力量を認識可能である。
【００９０】
ＯＫボタン１０６及びキャンセルボタン１０７は、当該印刷ジョブを作成するか否かを選択するボタンである。使用者は上記した設定を行った後にカーソル１０２にてＯＫボタン１０６を選択することで、当該印刷ジョブの作成が完了する。また、任意のタイミングでキャンセルボタン１０７を選択することで、図３の送信処理を強制的に終了することが可能である。
【００９１】
以下、図４の表示を用いて、上記したそれぞれの印刷ジョブの具体的な作成方法を示す。
【００９２】
通常ジョブを作成する際は、印刷スケジュール１０１、設定領域１０４の選択を何もせず、ＯＫボタン１０６を選択するのみでよい。
【００９３】
予約ジョブを選択する場合は、印刷スケジュール１０１の印刷時刻帯１０１Ａ及び第一及び第二省電力時刻帯１０１Ｂ，１０１Ｃ以外の印刷スケジュール１０１上でカーソル１０２の決定動作を行い、ＯＫボタン１０６を選択することで、時刻情報を有した予約ジョブを作成可能である。
【００９４】
省電力ジョブを作成する場合は、二通りの方法が存在する。一つ目は、印刷スケジュール１０１の第一及び第二省電力時刻帯１０１Ｂ，１０１Ｃ上でカーソル１０２の決定動作を行い、ＯＫボタン１０６を選択する方法である。二つ目は設定領域１０４の「省電力ジョブ設定」のフラグを立たせた状態でＯＫボタン１０６を選択する方法である。
【００９５】
尚、後者の方法は、「省電力ジョブ設定」のフラグを立てたのみでＯＫボタン１０６を選択すると期限情報を持たない省電力ジョブを作成し、期限設定の時刻を設定しＯＫボタン１０６を選択することで期限情報を持つ省電力ジョブを作成する。
【００９６】
また、「省電力ジョブ設定」のフラグが立つか否かに関わらず、第一及び第二省電力時
刻帯１０１Ｂ，１０１Ｃ上でカーソル１０２の決定動作を行い、ＯＫボタン１０６を選択すると時刻情報を有した省電力ジョブを作成可能である。尚、上記したが「省電力ジョブ設定」のフラグが立っている状態では、印刷スケジュール１０１上の設定は第一及び第二省電力時刻帯１０１Ｂ，１０１Ｃ上でしか出来ない。
【００９７】
さらに、図３のＳ１０５での処理では設定領域１０４の「省電力ジョブ設定」のフラグが強制的に立たされる。この場合フラグの変更が不可能なように構成されているため、印刷ジョブは強制的に省電力ジョブとして作成される。
【００９８】
尚、通常ジョブ及び予約ジョブを送信する場合は、当該ジョブを省電力ジョブで送信した場合の処理電力量も共に送信する。また、省電力ジョブを送信する場合は、当該ジョブを通常ジョブで送信した場合の処理電力量も共に送信する。
【００９９】
＜受信処理（図５参照）＞
図５は、ＰＣ２から送信された印刷ジョブをプリンタ１にて受信する受信処理を示したフローチャートである。
【０１００】
図５に示す受信処理は、プリンタ１において電源がオンされた状況にて短い時間間隔で定期的に実施される処理である。当該処理が開始されると、制御回路１０にて、まずＳ２０１により印刷ジョブを受信したか否かが判断される。ここで、受信していない場合は（Ｓ２０１：Ｎ）、当該受信処理が終了する。
【０１０１】
一方、印刷ジョブを受信した場合（Ｓ２０１：Ｙ）、Ｓ２０２にて受信した印刷ジョブが予約ジョブ又は省電力ジョブであるか否かが判断される。ここで予約ジョブ又は省電力ジョブの場合（Ｓ２０２：Ｙ）、Ｓ２０３にて印刷ジョブをＨＤＤ１４に記憶し、当該受信処理を終了する。
【０１０２】
一方、受信した印刷ジョブが予約ジョブ又は省電力ジョブでない場合（通常ジョブの場合）（Ｓ２０２：Ｎ）、後述する図６の印刷処理のＳ３０２に処理が移る。
【０１０３】
＜印刷処理（図６参照）＞
図６は、印刷ジョブをプリンタ１にて印刷する印刷処理を示したフローチャートである。
【０１０４】
図６に示す印刷処理は、プリンタ１において電源がオンされた状況にて短い時間間隔で定期的に実施される処理である。当該処理が開始されると、制御回路１０にて、まずＳ３０１によりＨＤＤ１４内の予約ジョブ又は省電力ジョブの印刷開始時刻に達したか否かが判断される。即ち、予約ジョブ又は時刻情報を持つ省電力ジョブの時刻情報に基づいて印刷が実行される時刻になったか否かが判断される。
【０１０５】
ここで、当該印刷開始時刻に達したと判断される場合（Ｓ３０１：Ｙ）、Ｓ３０２にてプリンタ１のウォーミングアップ処理が実行され、印刷部１５が使用できる状態に移行する。
【０１０６】
その後、Ｓ３０３にてＨＤＤ１４内の予約ジョブ又は省電力ジョブが印刷され、印刷スケジュール１０１（図４参照）上で連続して印刷される予定の省電力ジョブ又は予約ジョブが印刷される。
【０１０７】
尚、Ｓ３０３にてＨＤＤ１４内に時刻情報を持つ省電力ジョブが記憶されていない場合は予約ジョブのみが印刷される。
【０１０８】
Ｓ３０３の処理が終了すると、Ｓ３０４にて印刷された予約ジョブと省電力ジョブを送信したＰＣ２に印刷完了の通知を送信する。尚、ＰＣ２にて印刷完了の通知を受信すると、ＰＣ２の表示部２６に印刷完了の旨を表示する。
【０１０９】
その後、Ｓ３０５にて予約ジョブを送信した使用者からウォーミングアップ処理にて消費した電力量を消費させるため、当該使用者の使用者ＩＤに対応した消費電力量にウォーミングアップ処理分の電力量を加算し、残電力量から当該電力量を減算する。
【０１１０】
さらに、Ｓ３０６にて予約ジョブ及び省電力ジョブの印刷の処理にて消費した電力量をそれぞれの印刷ジョブを送信した使用者から消費させる。よって、ウォーミングアップ処理にて消費した電力量と同様に、それぞれの使用者ＩＤに対応した消費電力量及び残電力量の値を更新する。
【０１１１】
Ｓ３０６の処理が終了すると、Ｓ３０７にて省電力ジョブにてウォーミングアップ処理が二度回避されたか否かが判断され、二度回避されたと判断された場合は（Ｓ３０７：Ｙ）、Ｓ３０８にて省電力ジョブを送信した使用者ＩＤの残電力量にウォーミングアップ処理分の電力量を加算し、当該印刷処理は終了する。また、省電力ジョブにてウォーミングアップ処理が二度回避されていない場合（Ｓ３０７：Ｎ）、当該印刷処理は終了する。
【０１１２】
尚、上記した処理は図７の具体例にて後述で説明する。
【０１１３】
一方、Ｓ３０１にて予約ジョブ又は省電力ジョブの印刷開始時刻に達していない、又はＨＤＤ１４内に予約ジョブ及び省電力ジョブが記憶されていない場合（Ｓ３０１：Ｎ）、Ｓ３０９にてＨＤＤ１４内の期限情報を持つ省電力ジョブの印刷開始時刻に達したか否かが判断される。即ち、省電力ジョブの期限情報に基づいて印刷が実行される時刻になったか否かが判断される。
【０１１４】
ここで、期限情報を持つ省電力ジョブが印刷開始時刻に達していない場合（Ｓ３０９：Ｎ）、当該印刷処理は終了する。一方、期限情報を持つ省電力ジョブが印刷開始時刻に達した場合（Ｓ３０９：Ｙ）、続いてＳ３１０にて、Ｓ３０２と同様にウォーミングアップ処理が実行され、Ｓ３１１にてＨＤＤ１４内の期限情報を持つ省電力ジョブが印刷される。
【０１１５】
その後、Ｓ３１２にて、Ｓ３０４と同様にＰＣ２に印刷完了を通知し、Ｓ３１３にて当該省電力ジョブを送信した使用者の使用者ＩＤに対応した消費電力量にウォーミングアップ処理と印刷の処理にて消費した電力量を加算し、残電力量から当該電力量を減算する。
【０１１６】
そして、当該印刷処理は終了する。
【０１１７】
尚、図５の受信処理にて通常ジョブを受信した場合の印刷処理を説明する。
【０１１８】
図５の受信処理のＳ２０２にて受信した印刷ジョブが予約ジョブ又は省電力ジョブでない場合（通常ジョブの場合）（Ｓ２０２：Ｎ）、Ｓ３０２にてウォーミングアップ処理後、Ｓ３０３にてＨＤＤ１４内に時刻情報を持たない省電力ジョブ記憶されている場合、当該省電力ジョブと共に通常ジョブを印刷する。また、Ｓ３０３にてＨＤＤ１４内に時刻情報を持たない省電力ジョブ記憶されていない場合、通常ジョブのみを印刷する。
【０１１９】
その後、Ｓ３０４からＳ３０８の処理が実行される。尚、Ｓ３０５の処理ではウォーミングアップ処理に消費した電力量は当該通常ジョブを送信した使用者から消費される。
【０１２０】
＜消費電力量の説明（図７を参照）＞
図７は、電力量がどのように消費されるかを様々なパターンに分けて具体的に示した図である。尚、図７（１）に示した図は図４に示した印刷スケジュール１０１のうち、印刷時刻帯１０１Ａに設定されているジョブＡ及びジョブＢのみが印刷された場合を示し、図７（２）から（４）は図７（１）の状況において異なる時刻帯に省電力ジョブであるジョブＣが投入された場合を示す。ジョブＡからジョブＣはそれぞれ使用者ＩＤがＡからＣの使用者がそれぞれ送信した印刷ジョブである。
【０１２１】
予約ジョブであるジョブＡ及びジョブＢは、通常図７（１）のようにそれぞれの使用者に消費される。図７（１）の場合、それぞれのジョブにはウォーミングアップ処理が実行されるため、使用者ＡとＢはそれぞれウォーミングアップ処理分とジョブの印刷の処理にて消費した電力量が消費される。
【０１２２】
しかしながら、図４の第一省電力時刻帯１０１Ｂに省電力ジョブであるジョブＣを投入した場合は、図７（２）及び図７（３）のように処理される。
【０１２３】
図７（２）ではジョブＡの前に省電力ジョブであるジョブＣが印刷される。この場合、ジョブＡとジョブＣが印刷されるのに必要なウォーミングアップ処理はジョブＣの前のウォーミングアップ処理だけとなり、ウォーミングアップ処理が一度回避されることとなる。
【０１２４】
この時、後から投入されたジョブＣによりウォーミングアップ処理が回避されたため、ウォーミングアップ処理により消費した電力量は使用者Ａが負担し、ジョブＣを送信した使用者ＣはジョブＣの印刷の処理に消費した電力量のみを負担する。
【０１２５】
また、図７（３）ではジョブＢの後に省電力ジョブであるジョブＣが印刷される。この場合は、図７（２）と同様にウォーミングアップ処理に消費した電力量は使用者Ｂが負担し、ジョブＣを送信した使用者ＣはジョブＣの印刷の処理に消費した電力量のみを負担する。
【０１２６】
この場合、予め予約ジョブを投入していた使用者ＡとＢは、もともとウォーミングアップ処理にて消費する電力量を負担することを前提に印刷ジョブを作成している。一方、省電力ジョブを投入した使用者Ｃはウォーミングアップ処理を回避し消費する電力量を抑えて印刷するように印刷ジョブを作成しているため、使用者Ｃに対してウォーミングアップ処理にて消費する電力量を負担させない。
【０１２７】
さらに、図４の第二省電力時刻帯１０１Ｃに省電力ジョブであるジョブＣを投入した場合は、図７（４）のように処理される。
【０１２８】
図７（４）ではジョブＡ及びジョブＢの印刷時刻帯１０１Ａの間にジョブＣが投入される。この場合、ジョブＡ、ジョブＢ、及びジョブＣが印刷されるのに必要なウォーミングアップ処理はジョブＡの前のウォーミングアップ処理だけとなり、ウォーミングアップ処理が二度回避されることとなる。
【０１２９】
この時、後から投入されたジョブＣによりウォーミングアップ処理が二度回避されたため、ウォーミングアップ処理により消費した電力量及びウォーミングアップ処理により消費されるはずであった電力量は使用者ＡとＢが負担し、ジョブＣを送信した使用者ＣはジョブＣの印刷の処理に消費した電力量から一度分のウォーミングアップ処理に消費した電力量を減算した電力量のみを負担する。尚、図７の図面上の点線は使用者Ｂ及びＣが負担
する電力量を示している。
【０１３０】
この場合、予め予約ジョブを投入していた使用者ＡとＢは、もともとウォーミングアップ処理にて消費する電力量を負担することを前提に印刷ジョブを作成している。一方、省電力ジョブを投入した使用者Ｃはウォーミングアップ処理を二度回避し消費する電力量を抑えて印刷するように印刷ジョブを作成しているため、使用者Ｃに対してウォーミングアップ処理にて消費する電力量を負担させず、一度分のウォーミングアップ処理にて消費する電力量を減算させる。
【０１３１】
＜消費電力量の表示（図８参照）＞
図８はプリンタ１の表示部１７に表示する消費電力量の表示図である。
【０１３２】
使用者はプリンタ１の操作部１８を操作し、表示部１７に図８のような消費電力量の情報を表示することが可能である。
【０１３３】
図８に示す情報は、各使用者ＩＤに対応した実際に消費した消費電力量と、当該消費電力量を消費した印刷ジョブを通常ジョブ又は省電力ジョブにて全て印刷した場合の消費電力量を表示する。使用者はこの情報を確認することで、自身や他人がどのように印刷ジョブを送信しているか確認可能である。
【０１３４】
＜他の実施形態＞
（１）本実施形態では印刷ジョブ間に消費される待機電力量をどの使用者にも負担させない構成であったが、例えば図９のように省電力ジョブを投入した使用者Ｃに負担させても良い。この様に構成することで、消費電力量の公正な累計が可能である。
【０１３５】
（２）本実施形態では電力量の管理を使用者毎に行っていたが、例えば複数の使用者によって構成されるグループ毎に管理をしても良い。
【０１３６】
（３）本実施形態ではＰＣ２にて送信処理の際、Ｓ１０４及びＳ１０８の判断処理を必ず行う処理として構成したが、どちらか片方だけを行う構成であっても良いし、両方とも行わない構成であっても良い。
【０１３７】
また、これらの判断処理はプリンタ１側で実行しても良い。この場合、判断結果をＰＣ２からプリンタ１へ問い合わせる形態となる。
【０１３８】
（４）本実施形態では消費される電力量をＰＣ２にて印刷ジョブのデータ量などから推定して累計していたが、例えばプリンタ１にて実際に消費された電力量を測定して、その値を累計しても良い。
【０１３９】
（５）本実施形態では消費電力量の表示（図８参照）はプリンタ１側で実行する処理であったが、ＰＣ２側で実行できる構成であっても良い。
【０１４０】
（６）本実施形態では電力量情報をプリンタ１にて記憶させておく構成であったが、例えばネットワーク３上のサーバ等に記憶しても良い。この場合、ネットワーク３に複数のプリンタ１が接続されている構成であっても総合的に電力量を管理可能である。
【０１４１】
（７）本実施形態では印刷ジョブをＰＣ２から送信する際に予め通常ジョブ、予約ジョブ、省電力ジョブとして作成し送信する構成であったが、プリンタ１側で上記印刷ジョブの種類を判断する形態であっても良い。
【０１４２】
即ち、ＰＣ２から印刷ジョブをプリンタ１に記憶させるように送信し、プリンタ１にて使用者が印刷ジョブの種類を決めるように構成する。尚その後、上記実施形態の送信処理におけるＳ１０４、Ｓ１０８の処理はプリンタ１のＣＰＵ１１にて実行され、Ｓ１０６における設定画面の表示はプリンタ１の表示部１７によって実行される。
【０１４３】
（８）本実施形態ではプリンタ１に予約ジョブ及び省電力ジョブを記憶させる構成であったが、例えば各予約ジョブや省電力ジョブに対応させた時刻情報や期限情報だけプリンタ１に記憶させておき、印刷データ自体はＰＣ２に保存させておいて、印刷開始時刻に達したら、プリンタ１からＰＣ２の印刷データを引っ張ってきて印刷する構成であっても良い。
【０１４４】
（９）本実施形態では印刷装置の一例としてプリンタにて説明したが、印刷装置はプリンタに限定されず、例えば複写機、複合機等のように用紙に印刷可能な装置であってウォーミングアップ処理のような準備処理を実行する装置であれば良い。
【図面の簡単な説明】
【０１４５】
【図１】印刷システムの概念及びプリンタと１ＰＣ２の内部構成をブロック図として表したシステム図である。
【図２】各使用者ＩＤに対応した電力量情報を示した図である。
【図３】ＰＣ２からプリンタ１への印刷ジョブの送信処理を示したフローチャートである。
【図４】印刷ジョブを作成するための設定画面を示した図である。
【図５】ＰＣ２から送信された印刷ジョブをプリンタ１にて受信する受信処理を示したフローチャートである。
【図６】印刷ジョブをプリンタ１にて印刷する印刷処理を示したフローチャートである。
【図７】電力量がどのように消費されるかを様々なパターンに分けて具体的に示した図である。
【図８】プリンタ１の表示部１７に表示する消費電力量の表示図である。
【図９】待機電力量の消費される例を具体的に示した図である。
【符号の説明】
【０１４６】
１  プリンタ
２  ＰＣ
１０，２０  制御回路
１１，２１  ＣＰＵ
１２，２２  ＲＯＭ
１３，２３  ＲＡＭ
１４，２４  ＨＤＤ
１５  印刷部
１７，２６  表示部
１８，２５  操作部
１０１  印刷スケジュール
【図１】
2010120205.tif 000003
【図２】
2010120205.tif 000004
【図３】
2010120205.tif 000005
【図４】
2010120205.tif 000006
【図５】
2010120205.tif 000007
【図６】
2010120205.tif 000008
【図７】
2010120205.tif 000009
【図８】
2010120205.tif 000010
【図９】
2010120205.tif 000011